(57)【要約】【課題】  異なるコンピュータ言語で動作する複数のシステム間で操作情報引き継ぐこと。【解決手段】  第１言語の検索ＡＰと、第２言語の表示ＡＰとを実行するクライアントと、検索ＡＰによる検索を行う検索用サーバ１４０と、検索した対象文献を表示する表示用サーバ１５０とを備えるシステムにおいて、検索用サーバ１４０が、検索ＡＰにより入力された調査対象案件を実行中ユーザ管理ＤＢ部１４３に格納し、表示ＡＰ起動時に、検索用サーバの実行中ユーザ管理ＤＢ部１４３に問い合わせ、既に調査対象案件を入力している場合、対象文献を表示する機能と、前記表示ＡＰを実行した場合、既に調査対象案件を入力していない場合、検索ＡＰを起動して調査対象案件の入力を促し、この入力後に表示ＡＰを検索ＡＰで検索した文献番号等を引数として起動する機能とを備える。【選択図】  図１
2006120039.tif 000002
【特許請求の範囲】
【請求項１】
第１の言語で作成された検索アプリケーション及び前記第１の言語と異なる第２の言語で作成された表示アプリケーションとを実行するクライアントと、前記検索アプリケーションにより検索用データベース部を検索して検索結果を出力すると共に入力された調査対象案件を格納する実行中ユーザ管理データベース部とを含む検索用サーバと、該検索用サーバにより検索された検索結果を基に表示用データベース部に格納した対象文献を表示する表示用サーバとを備えるコンピュータシステムにおける操作情報引継システムであって、
前記検索用サーバが、検索アプリケーションにより入力された調査対象案件を実行中ユーザ管理データベース部に格納しておき、表示アプリケーションを起動したとき、検索用サーバの実行中ユーザ管理データベース部に問い合わせを行い、該ユーザが既に調査対象案件を入力しているか否かを判定し、調査対象案件を入力していると判定した場合、対象文献を表示する第１機能と、前記表示アプリケーションを実行したとき、該ユーザが既に調査対象案件を入力しているかを判定し、入力していると判定した場合、表示アプリケーションを文献番号を引数として起動して対象文献を表示する第２機能と、ユーザが既に調査対象案件を入力していないと判定した場合、検索アプリケーションの調査対象案件入力部を起動して調査対象案件の入力を促し、この入力後に表示アプリケーションを起動することにより前記第２機能を実行する第３機能とを備えることを特徴とする操作情報引継システム。
【請求項２】
第１の言語で作成された検索アプリケーションと、前記第１の言語と異なる第２の言語で作成された表示アプリケーションとを実行するクライアントと、前記検索アプリケーションにより検索用データベース部を検索して検索結果を出力すると共に入力された調査対象案件を格納する実行中ユーザ管理データベース部とを含む検索用サーバと、該検索用サーバにより検索された検索結果を基に表示用データベース部に格納された対象文献を表示する表示用サーバとを備えるコンピュータシステムにおける操作情報引継方法であって、
検索アプリケーションにより入力された調査対象案件を実行中ユーザ管理データベース部に格納し、表示アプリケーション起動時に、検索用サーバの実行中ユーザ管理データベース部に問い合わせを行い、該ユーザが既に調査対象案件を入力しているかを判定し、調査対象案件を入力していると判定した場合に対象文献を表示する第１ステップと、前記表示アプリケーションを実行した場合、該ユーザが既に調査対象案件を入力しているかを判定し、入力していると判定した場合、表示アプリケーションを文献番号を引数として起動して対象文献を表示する第２ステップと、入力していないと判定した場合、検索アプリケーションの調査対象案件入力部を起動して調査対象案件の入力を促し、この入力後に表示アプリケーションを起動することにより前記第２ステップを実行する第３ステップとを含むことを特徴とする操作情報引継方法。
【発明の詳細な説明】
【技術分野】
【０００１】
本発明は、異なるコンピュータ言語で動作する複数のシステム間で操作情報引き継ぐことができる操作情報引継システム及び操作情報引継方法に関する。
【背景技術】
【０００２】
近年の特許庁の審査システムにおいて公知例調査を行う文献検索システムは、審査対象となる調査対象案件となる出願を指定する調査対象案件入力部及び当該出願の検索を行うための検索式を入力し、その検索結果である特許文献番号を出力する検索入出力部からなる検索アプリケーションと、特許文献番号を入力して当該文献を表示する表示アプリーケションとから構成され、前記検索アプリケーションを用いて公知例を検索し、この検索結果による文献を表示アプリーションを用いて表示する様に構成されている。
【０００３】
前記検索アプリケーションと表示アプリーションは、各々独立した異なるコンピュータ言語で動作しており、具体的には検索アプリケーションがJAVA（登録商標）言語で動作し、表示アプリケーションは、「．ＮＥＴ（ドットネット）言語」で作成されている。尚、「．ＮＥＴ（ドットネット）」とはインターネットとコンピュータィングを融合することにより次世代のインターネット環境を構築することを意味し、例えば一般のパーソナルコンピュータと携帯電話等の異なる環境における動作を目的とした「．NET  Framework(ドットネット  フレームワーク）」上で動作するアプリケーションを開発するためのプログラミング言語である。
【０００４】
前記審査システムは、調査案件と当該調査案件に対する検索方式や参照した文献の関連を残すため、公知文献の内容を表示するための表示アプリケーションを使用する際に調査対象案件の出願番号を入力する事が必須に設定されている。
【０００５】
尚、前記文献情報の検索を行う技術が記載された文献としては、例えば下記特許文献が挙げられる。
【特許文献１】特開２００４−１７８０７０号公報
【発明の開示】
【発明が解決しようとする課題】
【０００６】
前述の文献検索システムは、検索を行うための条件式等を入力する検索アプリケーションと、検索された文献番号を指定して表示を行う表示アプリケーションの両者において、調査対象となる調査対象案件の出願番号や検索結果である文献番号を重複して入力する必要があると言う不具合があった。この文献検索システムにおいて、ユーザの重複入力を防止するため、検索アプリケーションにて入力した調査案件（出願番号）を、表示アプリケーションに引き継ぐことが想定されるが、従来技術においては、両アプリケーションの使用言語が異なり、具体的にはJAVA（登録商標）言語と「．ＮＥＴ」言語のクライアント間で情報を引き継ごうとした場合、アプリケーションを直接起動するときの引数に引継情報を乗せてアプリケーションを直接起動するか、ＩＰアドレス及びポートを指定したネットワークアドレスであるソケット通信を用いた方法が考えられる。しかしながら前述のアプリケーションの引数に権限の情報の乗せた場合は、ユーザが容易に不正にアプリケーション起動を許可させるためにセキュリティ上好ましくないと言う不具合があった。
【０００７】
この制限をかける手法としてはソケット通信をクライアント間にて行うことも考えられるが、このソケット通信を行うためには、両方のアプリケーションが同時に起動していないと通信することができないため、使い勝手が悪いと言う不具合があった。例えば、ソケット通信の場合、検索アプリケーション内で入力した調査案件を、表示アプリケーションに通知しようとしても、表示アプリケーションが起動していない場合、通知することができず、また検索アプリケーションを一旦終了させ、その後に表示アプリケーションを起動した場合にも、検索アプリケーション内で入力した調査案件の情報を表示アプリケーションが知ることができないと言う不具合があった。
【０００８】
本発明の目的は、前述の従来技術による不具合を除去することであり、異なるコンピュータ言語で動作する複数のシステム間で操作情報引き継ぐことができる操作情報引継システム及び操作情報引継方法を提供することである。具体的には、JAVA（登録商標）言語にて動作する検索アプリケーション内で、調査案件を入力し、この検索アプリケーションを一旦終了させても、入力した情報を保持し、「．ＮＥＴ」言語で動作する表示アプリケーションを検索アプリケーションを終了後に起動しても、検索アプリケーションにて調査案件を入力していれば、表示アプリケーションにて、文献の表示ができる操作情報引継システム及び操作情報引継方法を提供することである。
【課題を解決するための手段】
【０００９】
前記目的を達成するために本発明は、第１の言語で作成された検索アプリケーション及び前記第１の言語と異なる第２の言語で作成された表示アプリケーションとを実行するクライアントと、前記検索アプリケーションにより検索用データベース部を検索して検索結果を出力すると共に入力された調査対象案件を格納する実行中ユーザ管理データベース部とを含む検索用サーバと、該検索用サーバにより検索された検索結果を基に表示用データベース部に格納した対象文献を表示する表示用サーバとを備えるコンピュータシステムにおける操作情報引継システムにおいて、前記検索用サーバが、検索アプリケーションにより入力された調査対象案件を実行中ユーザ管理データベース部に格納しておき、表示アプリケーションを起動したとき、検索用サーバの実行中ユーザ管理データベース部に問い合わせを行い、該ユーザが既に調査対象案件を入力しているか否かを判定し、調査対象案件を入力していると判定した場合、対象文献を表示する第１機能と、前記表示アプリケーションを実行したとき、該ユーザが既に調査対象案件を入力しているかを判定し、入力していると判定した場合、表示アプリケーションを文献番号を引数として起動して対象文献を表示する第２機能と、ユーザが既に調査対象案件を入力していないと判定した場合、検索アプリケーションの調査対象案件入力部を起動して調査対象案件の入力を促し、この入力後に表示アプリケーションを起動することにより前記第２機能を実行する第３機能とを備えることを第１の特徴とする。
【００１０】
また本発明は、第１の言語で作成された検索アプリケーション及び前記第１の言語と異なる第２の言語で作成された表示アプリケーションとを実行するクライアントと、前記検索アプリケーションにより検索用データベース部を検索して検索結果を出力する検索用サーバと、該検索用サーバにより検索された検索結果を基に表示用データベース部に格納された対象文献を表示する表示用サーバとを備えるコンピュータシステムにおける操作情報引継方法において、検索アプリケーションにより入力された調査対象案件を実行中ユーザ管理データベース部に格納し、表示アプリケーション起動時に、検索用サーバの実行中ユーザ管理データベース部に問い合わせを行い、該ユーザが既に調査対象案件を入力しているかを判定し、既に調査対象案件を入力している場合、対象文献を表示する第１ステップと、前記表示アプリケーションを実行した場合、該ユーザが既に調査対象案件を入力しているかを判定し、入力していると判定した場合、表示アプリケーションを文献番号を引数として起動して対象文献を表示する第２ステップと、入力していない場合、検索アプリケーションの調査対象案件入力部を起動して調査対象案件の入力を促し、この入力後に表示アプリケーションを起動することにより前記第２ステップを実行して表示アプリケーションを起動して対象文献を表示する第３ステップとを含むことを第２の特徴とする。
【発明の効果】
【００１１】
本発明によれば、実行中ユーザ管理データベース部にアプリケーションを実行中のユーザを登録して管理し、文献番号を引数として表示アプリケーション起動を行うことによって、異なるコンピュータ言語で動作する複数のシステム間で操作情報引き継ぐことができる。
【発明を実施するための最良の形態】
【００１２】
以下、本発明による操作情報引継システム及び操作情報引継方法の一実施形態を図面を参照して詳細に説明する。図１は、本実施形態による異なる言語による表示画面を説明するための図、図２は本実施形態による操作情報引継システムを含むコンピュータシステムを示す図、図３は図２における実行中ユーザ管理データベース部の詳細を示す図、図４は本実施形態による検索アプリケーション処理手順を示すフローチャート、図５は本実施形態による照会アプリケーション処理手順を示すフローチャート、図６は実行中ユーザ管理データベース部のユーザ情報取得処理を示すフローチャート、図７は実行中ユーザ管理データベース部のユーザ情報追加／更新処理を示すフローチャートである。
<構成説明>
【００１３】
図２は本実施形態の対象となるコンピュータシステムを示す図であり、当該コンピュータシステムは、例えば特許文献を検索するためのJAVA（登録商標）言語により成る検索アプリケーション１１０及び検索された特許文献の内容を表示するための「．ＮＥＴ」言語より成る表示アプリケーション１２０が動作するクライアント１００と、該クライアント１００からの指示によって特許文献の検索を実行する検索用サーバ１４０と、前記表示アプリケーション１２０からの指示によって特許文献を表示するためのデータを抽出する表示用サーバ１５０と、前記検索用サーバ１４０に接続され、ユーザが使用するクライアント１００とユーザＩＤとユーザの権限を管理するユーザ管理部１３１を含むＬＤＡＰサーバ１３０とから構成される。
【００１４】
前記クライアント１００の検索アプリケーション１１０は、例えば調査対象の種別や願番を入力するための調査対象案件入力部１１１と、該調査対象の公知例となる特許公報等を検索するための検索条件を入力乃至検索結果を出力（表示）するための検索入出力部１１２を備え、前記表示アプリケーション１２０は、検索された特許文献の番号に対応した公報文献を表示するための文献出力部１２１とを備える。これら検索アプリケーション１１０及び表示アプリケーション１２０は、個々に起動乃至停止を行うこともできる。
【００１５】
また前記検索用サーバ１４０は、前記調査対象案件入力部１１１／検索入出力部１１２／文献出力部１２１を使用中のユーザを管理するための実行中ユーザ管理データベース部１４１と、特許文献を検索するための国際特許分類番号／ＦＩ記号／キーワード等を格納した検索用データベース部１４４と、前記検索入出力部１１２の指示に従って検索用データベース部１４４をアクセスする検索部１４２と、特許文献番号をキーとする複数の特許文献の内容を格納した表示用データベース１５２と、前記表示用サーバ１５０は文献出力部１２１の指示に従って表示用データベース１５２をアクセスし、該当の文献内容を抽出する文献抽出部１５１をと備える。
【００１６】
実行中ユーザ管理データベース部１４１は、検索アプリケーション１１０の調査対象案件入力部１１１からユーザが入力した調査対象案件情報を受け付けて、実行中ユーザ管理データベース部１４３に調査対象案件を格納する機能と、ユーザ管理部１３１からユーザの権限情報を取得する機能と、検索入出力部１１２や文献出力部１２１からユーザの権限情報の問い合わせを受け付け、ユーザの権限情報をユーザ管理部１３１または実行中ユーザ管理データベース部１４３から取り出し、検索入出力部１１２や文献出力部１２１に応答する機能と検索入出力部１１２や文献出力部１２１から調査対象案件が入力済みかの問い合わせを受け付け、実行中ユーザ管理データベース１４３から調査対象案件情報を取り出し、検索入出力部１１２や文献出力部１２１に応答する機能からなる。即ち実行中ユーザ管理データベース部１４３は、実行中ユーザの情報を格納する機能とを備える。
【００１７】
前記実行中ユーザ管理データベース部１４３は、図３に示す如く、ユーザ毎にユニークに付与されたユーザＩＤを格納するユーザＩＤ欄２０１と、各ユーザ毎の権限種を格納する権限欄２０２と、調査対象とする出願の願番を格納する調査案件情報欄２０３とを備える。前記権限欄２０２の設定は、ＬＤＡＰサーバ１３０のユーザ管理部１３１に格納した権限情報から行われ、ユーザＩＤ２０１及び調査案件情報２０３の設定はクライアント１００の調査対象案件入力部１１１の情報を基に行われる。
<動作説明>
【００１８】
さて、この様に構成したコンピュータシステムは、調査対象案件の入力が必須な一般ユーザと調査案件の入力を必須としない試行ユーザ存在し、一般ユーザが検索アプリケーションを実行すると、図１に示す調査対象案件を入力する画面の調査対象案件入力部１１１を表示し、調査対象案件を入力すると、検索入出力部１１２を表示し、この検索入出力部１１２が、ＦＩ記号やＦタームなどを検索式として入力すると、検索用サーバ１４０の検索部１４２が検索用データベース部１４４を参照して条件に合致する該当文献の検索を行い、該当文献の文献番号が表示（出力）する。ここで操作者が前記検索入出力部１１２に表示された文献番号を使用し、当該文献の表示を実行すると、表示用サーバ１５０の文献抽出部１５１が表示用データベース１５２に格納された公報の内容が文献出力部１２１に表示する。
【００１９】
即ち、本実施形態による操作情報引継システムは、特許文献を検索するためのJAVA（登録商標）言語により成る検索アプリケーションを用いて検索した検索結果（特許文献番号）を、「．ＮＥＴ」言語より成る表示アプリケーション１２０に引き継ぎ、文献出力部１２１に特許文献を出力する様に動作するものであって、この動作の詳細を図４〜図７を参照して説明する。
<検索アプリケーションの動作>
【００２０】
この動作は、図４に示す如く、検索アプリケーションがユーザ又は表示アプリケーションから起動（ステップ３１０）されると、実行中ユーザ管理データベース部からユーザの権限と調査対象案件の情報を取得（ステップ３１１）し、このユーザの権限が一般か試行かの判定（ステップ３１２）を行い、試行と判定したときは、検索入出力部を表示（ステップ３１８）させてユーザによる文献検索が可能な状態とし、前記ステップ３１２において権限が一般と判定したとき、調査対象案件が入力済みかの判定（ステップ３１３）を行う。ここで検索アプリケーションを１回起動して調査対象案件を入力して終了させた後、もう一度検索アプリケーションを起動した場合は、入力済みとなっているため、検索入出力部を表示させ、ユーザが文献の検索が可能な状態とする。
【００２１】
次いで本システムは、前記ステップ３１３において調査対象案件が入力済みと判定したとき、前記ステップ３１８による検索入出力部の表示を行い、調査対象案件が入力済みでないと判定したとき、調査対象案件入力部を表示（ステップ３１４）して入力を促す。
【００２２】
次いで本システムは、調査対象案件が入力されたか否かを判定（ステップ３１５）し、所定時間入力されない場合は処理を終了（ステップ３２１）し、入力された場合は、実行中ユーザ管理データベース部１４３へユーザＩＤと入力された調査対象案件を送信（ステップ３１６）し、表示アプリケーション１２０から起動されたかを判定（ステップ３１７）し、表示アプリケーション１２０から起動された場合は、表示アプリケーションから起動された検索アプリケーションは、調査対象案件を入力するためだけに起動されたもので、調査対象案件を入力後は不要のため、処理を終了（ステップ３２１）し、表示アプリケーション１２０からの起動でない場合は、ユーザが起動した検索アプリケーションは、検索処理を実行するため検索入出力部１１２を表示（ステップ３１８）する。
【００２３】
このステップ３１８による検索入出力部１１２の表示によってユーザがＦＩ記号やＦタームなどで検索式を組み立て、その検索式にて検索部へ検索要求を検索用サーバ１４０の検索部１４２へ送信すると、該検索部１４２が検索用データベース部１４４を与えられた条件式に従って検索し、検索結果である該当文献番号の一覧を取得（ステップ３１９）し、この文献番号や検索対象となった案件（出願）番号を引数として設定し、表示アプリケーションを起動（ステップ３２０）することにより、ユーザが表示アプリケーションにて該当文献を参照することができる。本システムにおいては表示アプリケーションの起動を検索アプリケーションにより検索された文献番号や案件番号を引数とすることにより、異なる言語により駆動されるアプリケーション間で操作情報を引き継ぐことができる。
<表示アプリケーションの動作>
【００２４】
次いで本処理は、表示アプリケーション１２０が、図５に示す如くユーザ又は検索アプリケーションから起動（ステップ４１０）されたとき、実行中ユーザ管理データベース部１４１からユーザの権限と調査対象案件の情報を取得（ステップ４１１）し、ユーザの権限を判定（ステップ４１２）する。
【００２５】
このステップ４１２において試行と判定したとき、本システムは、起動時に引数が設定されていたか否かを判定（ステップ４１７）し、設定されていない場合は文献出力部１２１を表示し、文献番号の入力待ち（ステップ４１８）とし、次いで当該文献番号が入力されたか否かの判定（ステップ４１９）を行い、入力された場合は文献抽出部１５１が表示用データベース１５２を検索して該当文献の明細書を文献出力部１２１に表示する。
【００２６】
前記ステップ４１２において権限が一般と判定したとき、本システムは、調査対象案件が入力済みかの判定（ステップ４１３）を行った後、調査対象案件が入力済みか否かの判定を行う（ステップ４１３）。このステップ４１３において調査対象案件が入力されていない場合、検索アプリケーション１１０を起動して調査対象案件入力部１１１を表示（ステップ４１４）と文献出力部１２１を起動してユーザの表示要求待ち（ステップ４１５）を行い、次いでユーザが表示要求を行ったか否かを判定（ステップ４１６）し、要求を行った際には前記ユーザ情報を取得するステップ４１１に戻る様に動作する。即ち、本動作によれば検索アプリケーション１１０起動時にも、表示アプリケーション１２０を操作することができ、調査対象案件を入力しないでユーザが表示要求を行っても、表示要求待ちとすることができる。
【００２７】
この様に検索アプリケーション１１０は、ユーザが試行権限を有し且つ起動時に引数が設定されているとき、及び文献番号が入力されたときに指定された文献の明細書を表示する様に動作する。
<実行中ユーザ管理データベース部の処理手順>
【００２８】
次に実行中ユーザ管理データベース部１４３の処理手順を図６及び図７を参照して説明する。この図６は検索アプリケーション１１０又は表示アプリケーション１２０からユーザの権限と調査対象案件を取得要求を受け付けたときに実行される処理を示す図であり、この処理は、ユーザ情報の取得要求を受け付け（ステップ５１０）たとき、実行中ユーザ管理データベース部１４３から該当ユーザの情報を取得（ステップ５１１）し、次にユーザ情報が取得できたか判定（ステップ５１２）を行い、取得できた場合、権限と調査対象案件を検索アプリケーション１１０または表示アプリケーション１２０に応答（ステップ５１３）し、取得できない場合、ＬＤＡＰサーバ１３０のユーザ管理部１３１からユーザの権限情報を取得し（ステップ５１４）、権限情報のみを検索アプリケーション１１０または表示アプリケーション１２０に応答する（ステップ５１５）。
【００２９】
図７は検索アプリケーション１１０の検索入出力部１１２に案件を入力したときに、入力情報を受け付ける処理を示す図であり、この処理は、調査対象案件の入力情報を受け付け（ステップ５１６）、実行中ユーザ管理データベース部から該当ユーザの情報を取得（ステップ５１７）し、ユーザ情報が取得できたか判定を行い（ステップ５１８）、取得できた場合、すでにユーザ情報が存在するので該当ユーザ情報を更新し、取得できない場合には、新規ユーザであるため実行中ユーザ管理データベース部１４３、ユーザＩＤ／権限／調査対象案件を追加する様に動作する。
【００３０】
この様に本実施形態による操作情報引継システムは、JAVA（登録商標）言語で作成されている検索アプリケーション１１０及び「．ＮＥＴ」言語で作成されている表示アプリケーション１２０とを含むクライアント１００と、ユーザとユーザの権限を管理するＬＤＡＰサーバ１３０／検索処理を行う検索部１４２／クライアントで実行中のユーザの管理処理を行う実行中ユーザ管理データベース部１４１を含む検索用サーバ１４０と、表示用の文献を抽出する文献抽出部１５１を含む表示用サーバ１５０とから成るコンピュータシステムであって、次のように動作することにより、一方のクライアントアプリケーションで実施した内容をサーバ内の実行中ユーザ管理データベース部に記憶することにより、他方のクライアプリケーションが実行前にサーバ内の実行中ユーザ管理データベース部を参照することにより、稼働を制限しつつ、異なるコンピュータ言語で動作する複数のシステム間で操作情報引き継ぐことができる。
【００３１】
（１）検索アプリケーション１１０から、調査対象案件を入力し、入力した調査対象案件を検索用サーバ１４０の実行中ユーザ管理データベース部１４３に保存しておき、表示アプリケーション１１０の起動時に、検索用サーバ１４０の実行中ユーザ管理データベース部１４３に問い合わせを行い、そのユーザが既に調査対象案件を入力しているか確認し、入力済みの場合、対象文献を表示する。
【００３２】
（２）表示アプリケーション１２０を実行した場合、そのユーザが既に調査対象案件を入力しているか否かを検索用サーバ１４０の実行中ユーザ管理データベース部１４３に問い合わせを行い、入力している場合は、そのまま表示アプリケーション１２０を起動し、文献を表示する。
【００３３】
（３）前記ユーザが既に調査対象案件を入力していない場合、検索アプリケーション１１０の調査対象案件入力部１１１を起動させ、調査対象案件の入力を促す。入力後に表示アプリケーション１２０を、検索アプリケーションにより検索された文献番号や案件番号を引数として再び起動し、前記（２）の処理を再び実行することにより、表示アプリケーション１２０を使用可能とすることができる。このように本実施形態においては、表示アプリケーションの起動を検索アプリケーションにより検索された文献番号や案件番号を引数とすることにより、異なる言語により駆動されるアプリケーション間で操作情報を引き継ぐことができる。
【図面の簡単な説明】
【００３４】
【図１】本発明の一実施形態による表示画面を説明するための図。
【図２】本実施形態を含むコンピュータシステムを示す図。
【図３】図２における実行中ユーザ管理データベース部の詳細を示す図。
【図４】本実施形態による検索アプリケーション処理手順を示すフローチャート。
【図５】本実施形態による照会アプリケーション処理手順を示すフローチャート。
【図６】実行中ユーザ管理データベース部のユーザ情報取得処理を示すフローチャート。
【図７】実行中ユーザ管理データベース部のユーザ情報追加／更新処理を示すフローチャート。
【符号の説明】
【００３５】
１００：クライアント、１１０：検索アプリケーション、１１１：調査対象案件入力部、１１２：検索入出力部、１２０：表示アプリケーション、１２１：文献出力部、１３０：ＬＤＡＰサーバ、１３１：ユーザ管理部、１４０：検索用サーバ、１４１：実行中ユーザ管理データベース部、１４２：検索部、１４３：実行中ユーザ管理データベース部、１４４：検索用データベース部、１５０：表示用サーバ、１５１：文献抽出部、１５２：表示用データベース。
【図１】
2006120039.tif 000003
【図２】
2006120039.tif 000004
【図３】
2006120039.tif 000005
【図４】
2006120039.tif 000006
【図５】
2006120039.tif 000007
【図６】
2006120039.tif 000008
【図７】
2006120039.tif 000009